(57)【特許請求の範囲】
【請求項１】
物体側より順に、
両凸面形状の正の屈折力の第１レンズと、
両凹形状の負の屈折力の第２レンズと、
物体側に凹面を向けたメニスカス形状の正の屈折力の第３レンズと、
両凹形状の負の屈折力の第４レンズと、
の４枚のレンズよりなり、
最も物体側に絞りが配置され、
以下の条件式を満足することを特徴とする撮像光学系。
−０．９＜ｆ４／ｆ＜０                                  （１）
−０．０４＜（ｒ８＋ｒ９）／（ｒ８−ｒ９）＜０．９ （２’’’）
−０．０３＜（ｒ４＋ｒ５）／（ｒ４−ｒ５）＜０．５５      （４）
１．１０＜（ｒ６＋ｒ７）／（ｒ６−ｒ７）＜１．５２      （５’’’）
ここで、
ｆ４は前記第４レンズの近軸での焦点距離、
ｆは前記撮像光学系全系の焦点距離、
ｒ８は前記第４レンズの物体側面の曲率半径、
ｒ９は前記第４レンズの像側面の曲率半径、
ｒ４は前記第２レンズの物体側面の曲率半径、
ｒ５は前記第２レンズの像側面の曲率半径、
ｒ６は前記第３レンズの物体側面の曲率半径、
ｒ７は前記第３レンズの像側面の曲率半径、
である。
【請求項２】
前記第４レンズの物体側面は変曲点を持たないことを特徴とする請求項１に記載の撮像光学系。
【請求項３】
前記第４レンズの物体側面は球面であることを特徴とする請求項１に記載の撮像光学系。
【請求項４】
以下の条件式を満足することを特徴とする請求項１〜３のいずれか一項に記載の撮像光学系。
０．０８＜（ｒ２＋ｒ３）／（ｒ２−ｒ３）＜０．４２      （３）
ここで、
ｒ２は前記第１レンズの物体側面の曲率半径、
ｒ３は前記第１レンズの像側面の曲率半径、
である。
【請求項５】
前記撮像光学系において前記第１レンズと、前記第２レンズと、前記第３レンズと、前
記第４レンズとは、樹脂により形成されていることを特徴とする請求項１〜４のいずれか一項に記載の撮像光学系。
【請求項６】
請求項１〜５のいずれか一項に記載の撮像光学系と、
撮像面を有する電子撮像素子を備えたことを特徴とする撮像装置であって、
以下の条件式を満足することを特徴とする撮像装置。
１５°＜αi＜３０°      （６）
ここで、αiは最大像高における主光線の前記撮像面への入射角度である。
【請求項７】
前記撮像光学系に一体化されたオートフォーカス機構を備えることを特徴とする請求項６に記載の撮像装置。
【請求項８】
前記撮像光学系と前記電子撮像素子とを一体化したことを特徴とする請求項６または７に記載の撮像装置。
【発明の詳細な説明】
【技術分野】
【０００１】
本発明は、撮像光学系及びそれを用いた撮像装置に関するものである。
【背景技術】
【０００２】
近年、携帯電話や携帯端末機、あるいはノートパソコン等の薄型化に伴い、光学系の高軸方向の長さを極限まで薄型化したカメラモジュールが求められている。この要求に応えるために、非球面レンズ２〜３枚程度で構成された短焦点の光学系が数多く提案されている。
【０００３】
また、近年、撮像素子の技術進歩と市場のニーズの高まりから、小型でありながら高画素、広角、低価格なカメラモジュールが求められている。結像性能を高めながら、光学系全長の短縮を図った光学系として、レンズ枚数を４枚とした例えば以下の特許文献１、２、３に記載されたものが提案されている。
これらのレンズはレンズを４枚使用し、小型でありながら高画素化に対する解像度を高めるために色収差を良好に補正している。
【先行技術文献】
【特許文献】
【０００４】
【特許文献１】特許第４３１７９３３号公報
【特許文献２】特開２００８−２６８９４６号公報
【特許文献３】特開２００９−１６９００号公報
【発明の概要】
【発明が解決しようとする課題】
【０００５】
しかしながら、特許文献１、２、３のレンズは半画角で３５°以下である。そして、これ以上の広角化を行った場合、諸収差の影響、特にコマ収差の影響が大きくなり小型でありながら高解像力を満足できなくなる。
また、これらのレンズのＦ値は２．８以上である。そして、これ以上にＦ値を明るくした場合、諸収差の影響、特に球面収差の影響が大きくなり小型でありながら高解像力を満足できなくなる。
【０００６】
本発明は、上記に鑑みてなされたものであって、小型・広画角でありながら、諸収差を良好に補正した撮像光学系及びそれを用いた撮像装置を提供することを目的とする。
【課題を解決するための手段】
【０００７】
上述した課題を解決し、目的を達成するために、本発明の撮像光学系は、物体側より順に、
両凸面形状の正の屈折力の第１レンズと、
両凹形状の負の屈折力の第２レンズと、
物体側に凹面を向けたメニスカス形状の正の屈折力の第３レンズと、
両凹形状の負の屈折力の第４レンズと、
の４枚のレンズよりなり、
最も物体側に絞りが配置され、
以下の条件式を満足することを特徴とする。
−０．９＜ｆ４／ｆ＜０                                  （１）
−０．０４＜（ｒ８＋ｒ９）／（ｒ８−ｒ９）＜０．９ （２’’’）
−０．０３＜（ｒ４＋ｒ５）／（ｒ４−ｒ５）＜０．５５      （４）
１．１０＜（ｒ６＋ｒ７）／（ｒ６−ｒ７）＜１．５２      （５’’’）
ここで、
ｆ４は第４レンズの近軸での焦点距離、
ｆは撮像光学系全系の焦点距離、
ｒ８は第４レンズの物体側面の曲率半径、
ｒ９は第４レンズの像側面の曲率半径、
ｒ４は第２レンズの物体側面の曲率半径、
ｒ５は第２レンズの像側面の曲率半径、
ｒ６は第３レンズの物体側面の曲率半径、
ｒ７は第３レンズの像側面の曲率半径、
である。
【０００８】
また、本発明の好ましい態様によれば、第４レンズの物体側面は変曲点を持たないことが望ましい。
【０００９】
また、本発明の好ましい態様によれば、第４レンズの物体側面は球面であることが望ましい。
【００１０】
また、本発明の好ましい態様によれば、以下の条件式を満足することが望ましい。
０．０８＜（ｒ２＋ｒ３）／（ｒ２−ｒ３）＜０．４２      （３）
ここで、
ｒ２は第１レンズの物体側面の曲率半径、
ｒ３は第１レンズの像側面の曲率半径、
である。
【００１３】
また、本発明の好ましい態様によれば、撮像光学系において第１レンズと、第２レンズと、第３レンズと、第４レンズとは、樹脂により形成されていることが望ましい。
【００１４】
また、本発明の撮像装置によれば、上述の撮像光学系と、
撮像面を有する電子撮像素子を備えたことを特徴とする撮像装置であって、
以下の条件式を満足することを特徴とする。
１５°＜αi＜３０°      （６）
ここで、αiは最大像高における主光線の撮像面への入射角度である。
【００１５】
また、本発明の好ましい態様によれば、撮像光学系に一体化されたオートフォーカス機構を備えることが望ましい。
【００１６】
また、本発明の好ましい態様によれば、撮像光学系と電子撮像素子とを一体化したことが望ましい。
【発明の効果】
【００１７】
本発明によれば、小型・広画角でありながら、諸収差を良好に補正した撮像光学系及びそれを用いた撮像装置を提供することができるという効果を奏する。
【図面の簡単な説明】
【００１８】
【図１】本発明の実施例１にかかる撮像光学系の無限遠物点合焦時の光学構成を示す光軸に沿う断面図である。
【図２】実施例１にかかる撮像光学系の無限遠物点合焦時における球面収差（ＳＡ）、非点収差（ＡＳ）、歪曲収差（ＤＴ）、倍率色収差（ＣＣ）を示す図である。
【図３】本発明の実施例２にかかる撮像光学系の無限遠物点合焦時の光学構成を示す光軸に沿う断面図である。
【図４】実施例２にかかる撮像光学系の無限遠物点合焦時における球面収差（ＳＡ）、非点収差（ＡＳ）、歪曲収差（ＤＴ）、倍率色収差（ＣＣ）を示す図である。
【図５】本発明の実施例３にかかる撮像光学系の無限遠物点合焦時の光学構成を示す光軸に沿う断面図である。
【図６】実施例３にかかる撮像光学系の無限遠物点合焦時における球面収差（ＳＡ）、非点収差（ＡＳ）、歪曲収差（ＤＴ）、倍率色収差（ＣＣ）を示す図である。
【図７】本発明の実施例４にかかる撮像光学系の無限遠物点合焦時の光学構成を示す光軸に沿う断面図である。
【図８】実施例４にかかる撮像光学系の無限遠物点合焦時における球面収差（ＳＡ）、非点収差（ＡＳ）、歪曲収差（ＤＴ）、倍率色収差（ＣＣ）を示す図である。
【図９】本発明の実施例５にかかる撮像光学系の無限遠物点合焦時の光学構成を示す光軸に沿う断面図である。
【図１０】実施例５にかかる撮像光学系の無限遠物点合焦時における球面収差（ＳＡ）、非点収差（ＡＳ）、歪曲収差（ＤＴ）、倍率色収差（ＣＣ）を示す図である。
【図１１】本発明の実施例６にかかる撮像光学系の無限遠物点合焦時の光学構成を示す光軸に沿う断面図である。
【図１２】実施例６にかかる撮像光学系の無限遠物点合焦時における球面収差（ＳＡ）、非点収差（ＡＳ）、歪曲収差（ＤＴ）、倍率色収差（ＣＣ）を示す図である。
【図１３】本発明の実施例７にかかる撮像光学系の無限遠物点合焦時の光学構成を示す光軸に沿う断面図である。
【図１４】実施例７にかかる撮像光学系の無限遠物点合焦時における球面収差（ＳＡ）、非点収差（ＡＳ）、歪曲収差（ＤＴ）、倍率色収差（ＣＣ）を示す図である。
【図１５】本発明の実施例８にかかる撮像光学系の無限遠物点合焦時の光学構成を示す光軸に沿う断面図である。
【図１６】実施例８にかかる撮像光学系の無限遠物点合焦時における球面収差（ＳＡ）、非点収差（ＡＳ）、歪曲収差（ＤＴ）、倍率色収差（ＣＣ）を示す図である。
【図１７】本発明の実施例９にかかる撮像光学系の無限遠物点合焦時の光学構成を示す光軸に沿う断面図である。
【図１８】実施例９にかかる撮像光学系の無限遠物点合焦時における球面収差（ＳＡ）、非点収差（ＡＳ）、歪曲収差（ＤＴ）、倍率色収差（ＣＣ）を示す図である。
【図１９】本発明の撮像光学系が対物光学系として内蔵された情報処理装置の一例であるパソコン３００のカバーを開いた状態の前方斜視図である。
【図２０】パソコン３００の撮影光学系３０３の断面図である。
【図２１】パソコン３００の側面図である。
【図２２】本発明の撮像光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１９】
まず、実施例の説明に先立ち、本実施形態の撮像光学系の作用効果について説明する。
【００２０】
本実施形態の撮像光学系は、物体側より順に、
両凸面形状の正の屈折力の第１レンズと、
両凹形状の負の屈折力の第２レンズと、
物体側に凹面を向けたメニスカス形状の正の屈折力の第３レンズと、
両凹形状の負の屈折力の第４レンズと、
の４枚のレンズよりなり、
最も物体側に絞りが配置され、
以下の条件式を満足することを特徴とする。
−０．９＜ｆ４／ｆ＜０                                  （１）
−０．０４＜（ｒ８＋ｒ９）／（ｒ８−ｒ９）＜１．３      （２）
ここで、
ｆ４は第４レンズの近軸での焦点距離、
ｆは撮像光学系全系の焦点距離、
ｒ８は第４レンズの物体側面の曲率半径、
ｒ９は第４レンズの像側面の曲率半径、
である。
【００２１】
主点の位置を光学系の物体側に配置することで、焦点距離に対して全長を十分に小さくすることが可能となり、全長短縮が実現できる。
また、最も物体側に絞りを配置することで、射出瞳を像面から離すことができる。これにより、撮像素子周辺部に入射する光線の角度を小さくできる。この結果、撮像素子周辺部の周辺光量低下を回避することが可能となる。
【００２２】
条件式（１）は全長を短くしつつ、十分なバックフォーカス長を確保するために好ましい条件を規定している。  
条件式（１）上限値を上回った場合、第４レンズの負の屈折力が弱くなってしまい、主点の位置を光学系の物体側に配置するのが困難になる。このため、全長の短縮が困難になってしまう。
条件式（１）の下限値を下回った場合、第４レンズの負の屈折力が強くなってしまい、光学系の画角を広くしたときにバックフォーカスを十分に確保することが困難になる。
【００２３】
条件式（２）は、第４レンズ像側の面からの光線の射出角度を抑え、周辺光量低下を回避すること、即ちレンズのＦ値を明るくした時でも周辺光量低下を低減できると共に、画角を広げるのに好ましい条件を規定している。
条件式（２）の下限値を下回った場合、第４レンズの像側の曲率が強くなりすぎることで、軸外光束の、第４レンズの像側の面からの射出角が急になる。この結果、撮像素子周辺部に入射する光線の角度が大きくなり周辺光量低下を回避することが困難になる。さらに、条件式（２）の下限値を下回ると、コマ収差の補正が困難になる。
条件式（２）の上限値を上回った場合、第４レンズの物体側の負の曲率が強くなりすぎることで、第４レンズの主点の位置が物体側に寄ってしまう。このため、光学系全系の合成焦点距離の短縮及び画角を広げることが困難になる。
【００２４】
また、本実施形態の撮像光学系は、条件式（１）に代えて、以下の条件式（１’）を満足すると良い。
−０．７２＜ｆ４／ｆ＜−０．２２      （１’）
さらに、条件式（１）に代えて、以下の条件式（１”）を満足すると一層良い。
−０．６２＜ｆ４／ｆ＜−０．３１      （１”）
【００２５】
また、本実施形態の撮像光学系は、条件式（２）に代えて、以下の条件式（２’）を満足すると良い。
０．３８＜（ｒ８＋ｒ９）／（ｒ８−ｒ９）＜１．１      （２’）
さらに、条件式（２）に代えて、以下の条件式（２”）を満足すると一層良い。
０．５５＜（ｒ８＋ｒ９）／（ｒ８−ｒ９）＜０．９      （２”）
また、以下の条件式（２’’’）を満足すると良い。
−０．０４＜（ｒ８＋ｒ９）／（ｒ８−ｒ９）＜０．９      （２’’’）
【００２６】
また、本実施形態の撮像光学系は、第４レンズの物体側面は変曲点を持たないことが望ましい。軸外でのレンズ面の曲率の変動を抑えることで、撮像距離による像面湾曲の変動を抑えることができ、また、製造誤差による性能の劣化を抑えることができる。
【００２７】
また、本実施形態の撮像光学系は、第４レンズの物体側面は球面であることが望ましい。
軸外光束の第４レンズ物体側面への入射角を緩くする事ができ、コマ収差の発生を極力抑えることができる。また、軸上から周辺にかけて曲率を一定にすることで、製造誤差による性能の劣化を極力抑えることができる。
【００２８】
また、本実施形態の撮像光学系では、半画角ωが以下の範囲であることが望ましい。
３０°＜ω＜６０°      （Ａ）
【００２９】
また、本実施形態の撮像光学系は、以下の条件式を満足することが望ましい。
０．０８＜（ｒ２＋ｒ３）／（ｒ２−ｒ３）＜０．４２      （３）
ここで、
ｒ２は第１レンズの物体側面の曲率半径、
ｒ３は第１レンズの像側面の曲率半径、
である。
【００３０】
条件式(３)は第１レンズの好ましい形状を規定している。
条件式（３）の下限値を下回ると、第１レンズの物体側の曲率半径は小さくなる。このため、第１レンズの物体側の面への光線入射角度は急になり、コマ収差の補正が困難になる。特に、半画角を上記（Ａ）の範囲に維持しようとすると、コマ収差の補正が困難になる。
条件式（３）の上限値を上回ると、第１レンズの物体側の曲率半径は大きくなり、逆に像側の曲率が強くなる。このため、光学系全体に主点の位置を物体側に寄せることが難しくなる。この結果、光学系全体の短縮化が困難になる。
【００３１】
また、本実施形態の撮像光学系は、条件式（３）に代えて、以下の条件式（３’）を満足すると良い。
０．１１＜（ｒ２＋ｒ３）／（ｒ２−ｒ３）＜０．３１      （３’）
さらに、条件式（３）に代えて、以下の条件式（３”）を満足すると一層良い。
０．１４＜（ｒ２＋ｒ３）／（ｒ２−ｒ３）＜０．２７      （３”）
【００３２】
また、本実施形態の撮像光学系では、Ｆ値Ｆｎｏが以下の範囲であることが望ましい。
２．０＜Ｆｎｏ＜２．８      （Ｂ）
【００３３】
また、本実施形態の撮像光学系は、以下の条件式（Ｃ）を満足することが望ましい。
０．０１＜１／ν２−１／ν１＜０．０３        (Ｃ)
ここで、
ν１は第１レンズのアッベ数（ｎd1−1）／（ｎF1−ｎC1）、
ν２は第２レンズのアッベ数（ｎd2−1）／（ｎF2−ｎC2）、
ｎd1、ｎC1、ｎF1、ｎg1は各々第１レンズのｄ線、Ｃ線、Ｆ線、ｇ線の屈折率、
ｎd2、ｎC2、ｎF2、ｎg2は各々第２レンズのｄ線、Ｃ線、Ｆ線、ｇ線の屈折率、
である。
条件式（Ｃ）は第１レンズと第２レンズのアッベ数に関する関係式である。条件式（Ｃ）を満足することで、色収差を良好に補正できる。
【００３４】
また、本実施形態の撮像光学系は、以下の条件式を満足することが望ましい。
−０．０３＜（ｒ４＋ｒ５）／（ｒ４−ｒ５）＜０．５５      （４）
ここで、
ｒ４は第２レンズの物体側面の曲率半径、
ｒ５は第２レンズの像側面の曲率半径、
である。
【００３５】
条件式（４）は第２レンズの形状を規定している。
条件式（４）の下限値を下回ると、第２レンズの像側の面の曲率半径は大きくなる。これにより、第２レンズからの光線の射出角度を大きくすることができなくなる。その結果、光学系の短縮化とテレセントリック性の確保との両立が困難になる。特に、半画角を上記（Ａ）の範囲に維持し、条件式（Ｃ）を満足しようとすると、光学系の短縮化とテレセントリック性の確保との両立が困難になる。
条件式（４）の上限値を上回ると、第２レンズの物体側の面の曲率半径は大きくなる。これにより、第１レンズで発生した球面収差の補正が不十分になる。特に、Ｆ値を上記（Ｂ）の範囲に維持しようとすると、コマ収差の補正が困難になる。
【００３６】
また、本実施形態の撮像光学系は、条件式（４）に代えて、以下の条件式（４’）を満足すると良い。
０．１０＜（ｒ４＋ｒ５）／（ｒ４−ｒ５）＜０．４１      （４’）
さらに、条件式（４）に代えて、以下の条件式（４”）を満足すると一層良い。
０．１６＜（ｒ４＋ｒ５）／（ｒ４−ｒ５）＜０．３６      （４”）
【００３７】
また、本実施形態の撮像光学系は、以下の条件式を満足することが望ましい。
０．９７＜（ｒ６＋ｒ７）／（ｒ６−ｒ７）＜１．５２      （５）
ここで、
ｒ６は第３レンズの物体側面の曲率半径、
ｒ７は第３レンズの像側面の曲率半径、
である。
【００３８】
条件式（５）は、第３レンズの物体側及び像側の面への光線の入射角度を抑え、良好なコマ収差の補正をすると共に、光学系のテレセントリック性を保ちつつ短縮化を実現するための条件を規定している。
【００３９】
条件式（５）の上限値を上回った場合、第３レンズの物体側及び像側の負の曲率が弱くなりすぎる。これにより、軸外光束の第３レンズの物体側及び像側の面に対する入射角が急になり、コマ収差補正が困難になる。
条件式（５）の下限値を下回った場合、第３レンズの像側の負の曲率が強くなりすぎることで、第３レンズからの射出角が小さくなる。このため、光学系の全長の短縮化とテレセントリック性の確保との両立が困難になる。
【００４０】
また、本実施形態の撮像光学系は、条件式（５）に代えて、以下の条件式（５’）を満足すると良い。
１．１０＜（ｒ６＋ｒ７）／（ｒ６−ｒ７）＜１．４７      （５’）
さらに、条件式（５）に代えて、以下の条件式（５”）を満足すると一層良い。
１．３４＜（ｒ６＋ｒ７）／（ｒ６−ｒ７）＜１．４０      （５”）
また、以下の条件式（５’’’）を満足すると良い。
１．１０＜（ｒ６＋ｒ７）／（ｒ６−ｒ７）＜１．５２      （５’’’）
【００４１】
また、本実施形態の撮像光学系は、撮像光学系において第１レンズと、第２レンズと、第３レンズと、第４レンズとは、樹脂により形成されていることが望ましい。
【００４２】
樹脂を用いることで安価な撮像光学系を提供できる。
【００４３】
また、本発明の撮像装置によれば、上述の撮像光学系と、
撮像面を有する電子撮像素子を備えたことを特徴とする撮像装置であって、
以下の条件式を満足することを特徴とする。
１５°＜αi＜３０°      （６）
ここで、αiは最大像高における主光線の撮像面への入射角度である。
【００４４】
固体撮像素子にＣＣＤ等を用いる場合に、光学系から射出された軸外光束（軸外主光線）が撮像面に対して大きな角度で入射すると、画像中央部と周辺部で画像の明るさが変化してしまう。また、撮像面への入射角度が小さいと、この問題は解決されるが、光学系の全長が長くなってしまう。そのため、条件式（６）を満足することが望ましい。
【００４５】
また、本発明の好ましい態様によれば、撮像光学系に一体化されたオートフォーカス機構を備えることが望ましい。
オートフォーカス機構を搭載することによって、あらゆる被写体距離において合焦することができる。
【００４６】
また、本発明の好ましい態様によれば、撮像光学系と電子撮像素子とを一体化したことが望ましい。
撮像光学系と電子撮像素子を一体化することで、撮像光学系による光学像を電気信号化することがでる。またαiによる画像中央部と周辺部で画像の明るさの変化を軽減できる電子撮像素子を選択し、小型且つ高性能な撮像装置を提供できる。
【００４７】
以下に、本実施形態の撮像光学系及び電子撮像装置の実施例を図面に基づいて詳細に説明する。なお、この実施例によりこの発明が限定されるものではない。
【００４８】
次に、実施例１にかかる撮像光学系について説明する。図１は実施例１にかかる撮像光学系の無限遠物点合焦時の光学構成を示す光軸に沿う断面図である。
【００４９】
図２は実施例１にかかる撮像光学系の無限遠物点合焦時における球面収差（ＳＡ）、非点収差（ＡＳ）、歪曲収差（ＤＴ）、倍率色収差（ＣＣ）を示す図である。また、ＦＩＹは像高を示している。なお、収差図における記号は、後述の実施例においても共通である。
【００５０】
実施例１の撮像光学系は、図１に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。なお、以下全ての実施例において、レンズ断面図中、ＣＧはカバーガラス、Ｉは電子撮像素子の撮像面を示している。
【００５１】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００５２】
非球面は、第１レンズＬ１〜第３レンズＬ３のすべてのレンズの両面と、第４レンズＬ４の像側面との７面に設けられている。
【００５３】
次に、実施例２にかかる撮像光学系について説明する。図３は実施例２にかかる撮像光学系の無限遠物点合焦時の光学構成を示す光軸に沿う断面図である。
【００５４】
図４は実施例２にかかる撮像光学系の無限遠物点合焦時における球面収差（ＳＡ）、非点収差（ＡＳ）、歪曲収差（ＤＴ）、倍率色収差（ＣＣ）を示す図である。
【００５５】
実施例２の撮像光学系は、図３に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００５６】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００５７】
非球面は、第１レンズＬ１〜第３レンズＬ３のすべてのレンズの両面と、第４レンズＬ４の像側面との７面に設けられている。
【００５８】
次に、実施例３にかかる撮像光学系について説明する。図５は実施例３にかかる撮像光学系の無限遠物点合焦時の光学構成を示す光軸に沿う断面図である。
【００５９】
図６は実施例３にかかる撮像光学系の無限遠物点合焦時における球面収差（ＳＡ）、非点収差（ＡＳ）、歪曲収差（ＤＴ）、倍率色収差（ＣＣ）を示す図である。
【００６０】
実施例３の撮像光学系は、図５に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００６１】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００６２】
非球面は、第１レンズＬ１〜第３レンズＬ３のすべてのレンズの両面と、第４レンズＬ４の像側面との７面に設けられている。
【００６３】
次に、実施例４にかかる撮像光学系について説明する。図７は実施例４にかかる撮像光学系の無限遠物点合焦時の光学構成を示す光軸に沿う断面図である。
【００６４】
図８は実施例４にかかる撮像光学系の無限遠物点合焦時における球面収差（ＳＡ）、非点収差（ＡＳ）、歪曲収差（ＤＴ）、倍率色収差（ＣＣ）を示す図である。
【００６５】
実施例４の撮像光学系は、図７に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００６６】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００６７】
非球面は、第１レンズＬ１〜第３レンズＬ３のすべてのレンズの両面と、第４レンズＬ４の像側面との７面に設けられている。
【００６８】
次に、実施例５にかかる撮像光学系について説明する。図９は実施例５にかかる撮像光学系の無限遠物点合焦時の光学構成を示す光軸に沿う断面図である。
【００６９】
図１０は実施例５にかかる撮像光学系の無限遠物点合焦時における球面収差（ＳＡ）、非点収差（ＡＳ）、歪曲収差（ＤＴ）、倍率色収差（ＣＣ）を示す図である。
【００７０】
実施例５の撮像光学系は、図１０に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００７１】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００７２】
非球面は、第１レンズＬ１〜第３レンズＬ３のすべてのレンズの両面と、第４レンズＬ４の像側面との７面に設けられている。
【００７３】
次に、実施例６にかかる撮像光学系について説明する。図１１は実施例６にかかる撮像光学系の無限遠物点合焦時の光学構成を示す光軸に沿う断面図である。
【００７４】
図１２は実施例６にかかる撮像光学系の無限遠物点合焦時における球面収差（ＳＡ）、非点収差（ＡＳ）、歪曲収差（ＤＴ）、倍率色収差（ＣＣ）を示す図である。
【００７５】
実施例６の撮像光学系は、図１１に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００７６】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００７７】
非球面は、第１レンズＬ１〜第３レンズＬ３のすべてのレンズの両面と、第４レンズＬ４の像側面との７面に設けられている。
【００７８】
次に、実施例７にかかる撮像光学系について説明する。図１３は実施例７にかかる撮像光学系の無限遠物点合焦時の光学構成を示す光軸に沿う断面図である。
【００７９】
図１４は実施例７にかかる撮像光学系の無限遠物点合焦時における球面収差（ＳＡ）、非点収差（ＡＳ）、歪曲収差（ＤＴ）、倍率色収差（ＣＣ）を示す図である。
【００８０】
実施例７の撮像光学系は、図１３に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００８１】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００８２】
非球面は、第１レンズＬ１〜第３レンズＬ３のすべてのレンズの両面と、第４レンズＬ４の像側面との７面に設けられている。
【００８３】
次に、実施例８にかかる撮像光学系について説明する。図１５は実施例８にかかる撮像光学系の無限遠物点合焦時の光学構成を示す光軸に沿う断面図である。
【００８４】
図１６は実施例８にかかる撮像光学系の無限遠物点合焦時における球面収差（ＳＡ）、非点収差（ＡＳ）、歪曲収差（ＤＴ）、倍率色収差（ＣＣ）を示す図である。
【００８５】
実施例８の撮像光学系は、図１５に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００８６】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００８７】
非球面は、第１レンズＬ１〜第３レンズＬ３のすべてのレンズの両面と、第４レンズＬ４の像側面との７面に設けられている。
【００８８】
次に、実施例９にかかる撮像光学系について説明する。図１７は実施例９にかかる撮像光学系の無限遠物点合焦時の光学構成を示す光軸に沿う断面図である。
【００８９】
図１８は実施例９にかかる撮像光学系の無限遠物点合焦時における球面収差（ＳＡ）、非点収差（ＡＳ）、歪曲収差（ＤＴ）、倍率色収差（ＣＣ）を示す図である。
【００９０】
実施例９の撮像光学系は、図１７に示すように、物体側より順に、開口絞りＳと、正屈折力の第１レンズＬ１と、負屈折力の第２レンズＬ２と、正屈折力の第３レンズＬ３と、負屈折力の第４レンズＬ４を有している。
【００９１】
第１レンズＬ１は、両凸正レンズである。第２レンズＬ２は、両凹負レンズである。第３レンズＬ３は、物体側に凹面を向けた正メニスカスレンズである。第４レンズＬ４は、両凹負レンズである。  
【００９２】
非球面は、第１レンズＬ１〜第４レンズＬ４のすべてのレンズの両面との８面に設けられている。
【００９３】
次に、上記各実施例の撮像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、＊印は非球面を示している。
【００９４】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、ｅは１０のべき乗を表している。なお、これら諸元値の記号は後述の実施例の数値データにおいても共通である。
【００９５】
数値実施例１
単位  mm
面データ
面番号       r            d              nd         νd
1(絞り)      ∞        -0.03
2*         2.235        0.80          1.53368       55.90
3*        -1.459        0.05
4*        -3.364        0.40          1.58366       30.31
5*         2.059        0.45
6*        -3.775        0.74          1.53368       55.90
7*        -0.622        0.11
8         -7.340        0.40          1.53368       55.90
9*         0.798        0.68
10           ∞         0.30          1.51633       64.14
11           ∞         0.28 
像面         ∞         0.
非球面データ
第２面
K=1.770
A4=-7.72783e-02,A6=-3.40091e-02,A8=-2.24696e-01,A10=1.05804e-01,A12=-2.34225e-02
第３面
K=-11.405
A4=-3.61371e-01,A6=3.50779e-01,A8=-2.23847e-01,A10=-2.79617e-02,A12=-1.79443e-02  
第４面
K=-61.495
A4=-2.53722e-01,A6=1.57749e-01,A8=2.04292e-01, A10=-1.70411e-01,A12=4.74592e-03
第５面
K=-11.082
A4=5.92593e-02,A6=-7.04438e-02,A8=4.27171e-0,A10=2.71522e-02,A12=-1.99514e-02
第６面
K=-3.776
A4=-1.32189e-01,A6=3.49062e-01,A8=-2.80220e-01,A10=7.07615e-02,A12=3.45995e-03
A14=2.84433e-03,A16=-6.71436e-03
第７面
K=-3.363
A4=-2.96456e-01,A6=3.31692e-01,A8=-1.08811e-01,A10=1.25186e-02,A12=3.50852e-04
A14=-7.12411e-05,A16=1.32893e-04
第９面
K=-7.403
A4=-8.01002e-02,A6=2.17325e-02,A8=-4.96820e-03,A10=4.13531e-04,A12=-5.04269e-06
A14=-2.26260e-07,A16=-9.99010e-07  
各種データ
焦点距離           3.00
ＦＮＯ．           2.5
画角ω            37.39
像高               2.291
BF (in air)        1.13
全長 (in air)      4.08
【００９６】
数値実施例２
単位  mm
面データ
面番号       r            d              nd         νd
1(絞り)      ∞        -0.03
2*         2.235        0.78          1.53368       55.90
3*        -1.459        0.05
4*        -3.359        0.39          1.58366       30.31
5*         2.059        0.44
6*        -3.759        0.73          1.53368       55.90
7*        -0.621        0.11
8         -7.312        0.40          1.53368       55.90
9*         0.798        0.68
10           ∞         0.30          1.51633       64.14
11           ∞         0.28
像面         ∞         0.
非球面データ
第２面
K=1.570
A4=-8.07021e-02,A6=-3.78734e-02,A8=-2.29717e-01,A10=1.00622e-01,A12=-2.48014e-02  
第３面
K=-11.180
A4=-3.61943e-01,A6=3.52348e-01,A8=-2.20672e-01,A10=-2.72644e-02,A12=-3.43088e-02  
第４面
K=-64.296
A4=-2.52382e-01,A6=1.58717e-01,A8=2.07503e-01,A10=-1.53876e-01 ,A12=2.78690e-02
第５面
K=-11.706
A4=5.64289e-02,A6=-7.37461e-02,A8=3.87010e-02,A10=2.38988e-02,A12=-1.21438e-02
第６面
K=-3.551
A4=-1.33343e-01,A6=3.45618e-01,A8=-2.82505e-01,A10=6.91217e-02,A12=2.13277e-03
A14=1.67222e-03,A16=-7.80080e-03
第７面
K=-3.323
A4=-2.96325e-01,A6=3.33203e-01,A8=-1.07909e-01,A10=1.30004e-02,A12=6.14409e-04
A14=7.86108e-05,A16=K=2.21878e-04
第９面
K=-7.525
A4=-7.96931e-02,A6=2.18417e-02,A8=-4.97927e-03,A10=4.07108e-04,A12=-5.81818e-06
A14=-7.35653e-07,A16=-1.24411e-06
各種データ
焦点距離           3.00
ＦＮＯ．           2.5
画角ω            37.56
像高               2.291
BF (in air)        1.15
全長 (in air)      4.06
【００９７】
数値実施例３
単位  mm
面データ
面番号       r            d              nd         νd
1(絞り)      ∞        -0.03
2*         2.229        0.76          1.53368       55.90
3*        -1.462        0.05
4*        -3.353        0.40          1.58366       30.31
5*         2.059        0.44
6*        -3.763        0.72          1.53368       55.90
7*        -0.621        0.11
8         -7.308        0.40          1.53368       55.90
9*         0.798        0.68
10           ∞         0.30          1.51633       64.14
11           ∞         0.29
像面         ∞         0.
非球面データ
第２面
K=1.514
A4=-8.12697e-02,A6=-4.16126e-02,A8=-2.31151e-01,A10=1.00280e-01,A12=-3.39736e-02  
第３面
K=-10.904
A4=-3.59641e-01,A6=3.53525e-01,A8=-2.22629e-01,A10=-2.40573e-02,A12=2.20672e-02
第４面
K=-61.131
A4=-2.58470e-01,A6=1.56163e-01,A8=2.42073e-01,A10=-6.60670e-02,A12=-6.01968e-02
第５面
K=-12.191
A4=5.49200e-02,A6=-7.45112e-02,A8=4.08911e-02,A10=3.32303e-02,A12=-6.79141e-03
第６面
K=-3.130
A4=-1.33869e-01,A6=3.47279e-01,A8=-2.78762e-01,A10=7.26884e-02,A12=4.90912e-03
A14=3.78657e-03,A16=-6.27607e-03
第７面
K=-3.225
A4=-2.91463e-01,A6=3.37034e-01,A8=-1.06180e-01,A10=1.36846e-02,A12=9.02189e-04
A14=2.25666e-04,A16=3.13157e-04
第９面
K=-7.007
A4=-8.10539e-02,A6=2.18068e-02,A8=-4.95410e-03,A10=4.16042e-04,A12=-4.69055e-06
A14=-9.02657e-07,A16=-1.44250e-06
各種データ
焦点距離           3.00      
ＦＮＯ．           2.4
画角ω            37.59
像高               2.291
BF (in air)        1.16
全長 (in air)      4.04
【００９８】
数値実施例４
単位  mm
面データ
面番号       r            d              nd         νd
1(絞り)      ∞        -0.04
2*         2.229        0.76          1.53368       55.90
3*        -1.462        0.05
4*        -3.353        0.40          1.58366       30.31
5*         2.059        0.44
6*        -3.764        0.72          1.53368       55.90
7*        -0.621        0.11
8         -7.309        0.40          1.53368       55.90
9*         0.798        0.68
10           ∞         0.30          1.51633       64.14
11           ∞         0.29
像面         ∞         0.
非球面データ
第２面
K=1.518
A4=-8.11644e-02,A6=-4.15925e-02,A8=-2.31418e-01,A10=9.92807e-02,A12=-3.66576e-02  
第３面
K=-10.897
A4=-3.59669e-01,A6=3.53623e-01,A8=-2.22157e-01,A10=-2.26589e-02,A12=2.56664e-02
第４面
K=-61.180
A4=-2.58421e-01,A6=1.56164e-01,A8=2.41692e-01,A10=-6.76689e-02,A12=-6.45754e-02
第５面
K=-12.189
A4=5.49000e-02,A6=-7.45769e-02,A8=4.07218e-02 ,A10=3.26149e-02,A12=-8.90966e-03
第６面
K=-3.054
A4=-1.34017e-01,A6=3.47204e-01,A8=-2.78789e-01,A10=7.26807e-02,A12=4.91260e-03
A14=A4=3.80187e-03,A16=-6.24376e-03
第７面
K=-3.223
A4=-2.91587e-01,A6=3.36957e-01,A8=-1.06202e-01,A10= 1.37025e-02,A12=9.11053e-04
A14=2.29848e-04,A16=3.14798e-04
第９面
K=-7.012
A4=-8.12111e-02,A6=2.18012e-02,A8=-4.95386e-03,A10=4.17679e-04,A12=-4.33456e-06
A14=-8.24676e-07,A16=-1.42705e-06
各種データ
焦点距離           3.00     
ＦＮＯ．           2.3
画角ω            37.57
像高               2.291
BF (in air)        1.16
全長 (in air)      4.04
【００９９】
数値実施例５
単位  mm
面データ
面番号       r            d              nd         νd
1(絞り)      ∞        -0.04
2*         2.227        0.79          1.53368       55.90
3*        -1.464        0.05
4*        -3.350        0.39          1.58366       30.31
5*         2.053        0.44
6*        -3.779        0.72          1.53368       55.90
7*        -0.622        0.11
8         -7.507        0.40          1.53368       55.90
9*         0.799        0.68
10           ∞         0.30          1.51633       64.14
11           ∞         0.29
像面         ∞         0.
非球面データ
第２面
K=1.550
A4=-8.06882e-02,A6=-4.02224e-02,A8=-2.30828e-01,A10=9.62003e-02,A12=-4.85076e-02  
第３面
K=-10.955
A4=-3.60275e-01,A6=3.52684e-01,A8=-2.21528e-01,A10=-1.82257e-02,A12=3.73561e-02
第４面
K=-59.899
A4=-2.57936e-01,A6=1.58385e-01,A8=2.43965e-01,A10=-6.49317e-02,A12=-6.77801e-02
第５面
K=-12.113
A4=5.50624e-02,A6=-7.39045e-02,A8=4.29937e-02,A10=3.64779e-02,A12=-7.44165e-03
第６面
K=-3.322
A4=-1.33400e-01,A6=3.47297e-01,A8=-2.79014e-01,A10=7.23383e-02,A12=4.71426e-03
A14=3.67525e-03,A16=-5.69845e-03
第７面
K=-3.229
A4=-2.91677e-01,A6=3.37029e-01,A8=-1.06206e-01,A10=1.36341e-02,A12=8.08565e-04
A14=1.30084e-04,A16=2.18372e-04
第９面
K=-7.060
A4=-8.10147e-02,A6=2.17944e-02,A8=-4.95708e-03,A10=4.16311e-04,A12=-4.94297e-06
A14=-9.40880e-07,A16=-1.31054e-06
各種データ
焦点距離           3.00 
ＦＮＯ．           2.2
画角ω            37.57
像高               2.291
BF (in air)        1.16
全長 (in air)      4.05
【０１００】
数値実施例６
単位  mm
面データ
面番号       r            d              nd         νd
1(絞り)      ∞        -0.02
2*         2.752        0.95          1.53368       55.90
3*        -1.808        0.06
4*        -4.208        0.51          1.58366       30.31
5*         2.559        0.55
6*        -5.127        0.89          1.53368       55.90
7*        -0.780        0.14
8        -10.103        0.52          1.53368       55.90
9*         0.979        0.85
10           ∞         0.30          1.51633       64.14
11           ∞         0.25
像面         ∞         0.
非球面データ
第２面
K=1.505
A4=-4.16755e-02,A6=-1.42717e-02,A8=-5.03376e-02,A10=1.22474e-02,A12=-6.52524e-04  
第３面
K=-11.096
A4=-1.85216e-01,A6=1.16308e-01,A8=-4.70315e-02,A10=-7.85153e-03,A12=-8.65167e-03  
第４面
K=-65.155
A4=-1.29531e-01,A6=5.12818e-02,A8=4.44380e-02,A10=-1.66526e-02,A12=-1.77233e-04
第５面
K=-11.722
A4=2.88106e-02,A6=-2.41356e-02,A8=8.13664e-03,A10=3.28100e-03,A12=-8.76236e-04
第６面
K=-2.733
A4=-6.89399e-02,A6=1.12794e-01,A8=-5.92483e-02,A10=9.29311e-03,A12=1.72055e-04
A14=7.04992e-05,A16=-2.95654e-04
第７面
K=-3.238
A4=-1.51732e-01,A6=1.09416e-01,A8=-2.25464e-02,A10=1.76828e-03,A12=6.25721e-05
A14=9.00277e-06,A16=1.01901e-05
第９面
K=-6.828
A4=-3.78831e-02,A6=6.92859e-03,A8=-1.10287e-03,A10=5.32732e-05,A12=-4.40645e-07
A14=-1.51789e-08,A16=-3.81205e-08
各種データ
焦点距離           3.57     
ＦＮＯ．           2.7
画角ω            38.86
像高               2.864
BF (in air)        1.29
全長 (in air)      4.91
【０１０１】
数値実施例７
単位  mm
面データ
面番号       r            d              nd         νd
1(絞り)      ∞        -0.02
2*         2.748        0.94          1.53368       55.90
3*        -1.801        0.06
4*        -4.223        0.47          1.58366       30.31
5*         2.566        0.55
6*        -5.284        0.88          1.53368       55.90
7*        -0.780        0.14
8        -11.683        0.52          1.53368       55.90
9*         0.976        0.85
10           ∞         0.30          1.51633       64.14
11           ∞         0.22
像面         ∞         0.
非球面データ
第２面
K=1.411
A4=-4.23813e-02,A6=-1.54046e-02,A8=-5.17385e-02,A10=1.07342e-02,A12=-1.69464e-03  
第３面
K=-11.082
A4=-1.85156e-01,A6=1.16518e-01,A8=-4.75890e-02,A10=-1.04993e-02,A12=-1.29558e-02  
第４面
K=-65.496
A4=-1.29589e-01,A6=5.10939e-02,A8=4.46104e-02,A10=-1.58142e-02,A12=-1.84139e-03
第５面
K=-11.776
A4=2.88128e-02,A6=-2.41009e-02,A8=8.18791e-03,A10=3.36095e-03,A12=-7.58271e-04
第６面
K=-4.201
A4=-6.78039e-02,A6=1.13255e-01,A8=-5.91013e-02,A10=9.32900e-03,A12=1.79605e-04
A14=6.93827e-05,A16=-2.99544e-04
第７面
K=-3.219
A4=-1.51867e-01,A6=1.09418e-01,A8=-2.25447e-02 ,A10=1.77017e-03,A12=6.33282e-05
A14=9.57371e-06,A16=1.05533e-05
第９面
K=-6.612
A4=-3.72283e-02,A6=7.03455e-03A8=-1.10556e-03,A10=5.31473e-05,A12=-3.50640e-07
A14=-1.91372e-09,A16=-3.73361e-08
各種データ
焦点距離           3.46    
ＦＮＯ．           2.7
画角ω            39.77
像高               2.864
BF (in air)        1.27
全長 (in air)      4.83
【０１０２】
数値実施例８
単位  mm
面データ
面番号       r            d              nd         νd
1(絞り)      ∞        -0.02
2*         2.229        0.64          1.53368       55.90
3*        -1.480        0.05
4*        -3.790        0.44          1.61421       25.60
5*         2.165        0.44
6*        -3.256        0.81          1.53368       55.90
7*        -0.614        0.11
8         -8.994        0.40          1.53368       55.90
9*         0.772        0.68
10           ∞         0.30          1.51633       64.14
11           ∞         0.28
像面         ∞         0.
非球面データ
第２面
K=0.752
A4=-9.23846e-02,A6=-6.51163e-02,A8=-2.62825e-01,A10=7.21874e-02,A12=-8.47073e-03  
第３面
K=-11.875
A4=-3.55736e-01,A6=3.54209e-01,A8=-2.32499e-01,A10=-2.17661e-02,A12=1.34921e-01
第４面
K=-105.486
A4=-2.26646e-01,A6=2.21163e-01,A8=3.13503e-01,A10=-7.90071e-02,A12=-1.60029e-01
第５面
K=-15.234
A4=4.91755e-02,A6=-7.37328e-02,A8=4.87899e-02,A10=4.03077e-02,A12=-2.45237e-02
第６面
K=1.209
A4=-1.47938e-01,A6=3.52452e-01,A8=-2.82518e-01,A10=6.19811e-02,A12=-8.37973e-03
A14=-1.01549e-02,A16=-2.01662e-02
第７面
K=-3.241
A4=-2.88986e-01,A6=3.34359e-01,A8=-1.07870e-01,A10=1.32379e-02,A12=9.38235e-04
A14=3.51121e-04,A16=4.15950e-04
第９面
K=-6.930
A4=-8.46530e-02,A6=2.09949e-02,A8=-4.85174e-03,A10=4.52464e-04,A12=-1.57481e-06
A14=-1.59823e-06,A16=-1.86998e-06
各種データ
焦点距離           3.00    
ＦＮＯ．           2.7
画角ω            37.48
像高               2.291
BF (in air)        1.16
全長 (in air)      4.05
【０１０３】
数値実施例９
単位  mm
面データ
面番号       r            d              nd         νd
1(絞り)      ∞        -0.03
2*         2.222        0.75          1.53368       55.90
3*        -1.464        0.05
4*        -3.359        0.41          1.58366       30.31
5*         2.058        0.44
6*        -3.720        0.74          1.53368       55.90
7*        -0.620        0.11
8*        -7.332        0.40          1.53368       55.90
9*         0.798        0.68
10           ∞         0.30          1.51633       64.14
11           ∞         0.28
像面         ∞         0.
非球面データ
第２面
K=1.382
A4=-8.39984e-02,A6=-4.00715e-02,A8=-2.32847e-01,A10=9.21794e-02,A12=-5.00696e-02  
第３面
K=-11.244
A4=-3.61412e-01,A6=3.52396e-01,A8=-2.22552e-01,A10=-3.05449e-02,A12=-1.21648e-02  
第４面
K=-63.354
A4=-2.52595e-01,A6=1.62626e-01,A8=2.31615e-01,A10=-8.98057e-02,A12=-4.32192e-02
第５面
K=-12.200
A4=5.49801e-02,A6=-7.44690e-02,A8=3.91594e-02,A10=2.66605e-02,A12=-6.31817e-03
第６面
K=-2.432
A4=-1.35459e-01,A6=3.45330e-01,A8=-2.81284e-01,A10=7.03665e-02,A12=2.92459e-03
A14=1.93672e-03,A16=-8.07542e-03
第７面
K=-3.251
A4=-2.94075e-01,A6=3.35069e-01,A8=-1.07050e-01,A10=1.34157e-02,A12=8.54903e-04
A14=2.39373e-04,A16=3.43445e-04
第８面
K=0.887
A4=-1.63656e-04,A6=-1.09321e-05,A8=-9.97062e-06,A10=-9.19578e-06
第９面
K=-7.157
A4=-8.12820e-02,A6=2.17617e-02,A8=-4.97833e-03,A10=4.09491e-04,A12=-6.11565e-06
A14=-1.21975e-06,A16=-1.48942e-06
各種データ
焦点距離           2.99    
ＦＮＯ．           2.5
画角ω            37.63
像高               2.291
BF (in air)        1.15
全長 (in air)      4.05
【０１０４】
また、以下に条件式対応値を掲げる。
条件式           実施例１        実施例２       実施例３         実施例４
ω               37.39           37.56           37.59           37.57
Fno               2.5             2.5             2.4             2.3
1/v2-1/v1         0.02            0.02            0.02            0.02
f4/f             -0.44           -0.44           -0.44           -0.44
(r8+r9)/(r8-r9)   0.80            0.80            0.80            0.80
(r2+r3)/(r2-r3)   0.21            0.21            0.21            0.21
(r4+r5)/(r4-r5)   0.24            0.24            0.24            0.24
(r6+r7)/(r6-r7)   1.394           1.396           1.396           1.396
αi              23.61           23.67           24.21           24.39
条件式           実施例５        実施例６        実施例７        実施例８
ω               37.57           38.86           39.77           37.48
Fno               2.2             2.7             2.7             2.7
1/v2-1/v1         0.02            0.02            0.02            0.02
f4/f             -0.44           -0.46           -0.48           -0.44
(r8+r9)/(r8-r9)   0.81            0.82            0.85            0.84
(r2+r3)/(r2-r3)   0.21            0.21            0.21            0.20
(r4+r5)/(r4-r5)   0.24            0.24            0.24            0.27
(r6+r7)/(r6-r7)   1.393           1.359           1.346           1.465
αi              24.26           19.23           18.20           21.60 
条件式           実施例9     
ω               37.63
Fno               2.5
1/v2-1/v1         0.015
f4/f             -0.44
(r8+r9)/(r8-r9)   0.80
(r2+r3)/(r2-r3)   0.21
(r4+r5)/(r4-r5)   0.24
(r6+r7)/(r6-r7)   1.400
αi              23.10
【０１０５】
さて、以上のような本発明の撮像光学系は、物体の像をＣＣＤやＣＭＯＳなどの電子撮像素子で撮影する撮影装置、情報処理装置の例であるパソコン、電話、携帯端末、特に持ち運びに便利な携帯電話等に用いることができる。以下に、その実施形態を例示する。
【０１０６】
次に、本発明の撮像光学系が対物光学系として内蔵された情報処理装置の一例であるパソコンを図１９〜図２１に示す。図１９はパソコン３００のカバーを開いた状態の前方斜視図、図２０はパソコン３００の撮影光学系３０３の断面図、図２１は図１９の側面図である。図１９〜図２１に示されるように、パソコン３００は、キーボード３０１と、情報処理手段や記録手段と、モニター３０２と、撮影光学系３０３とを有している。
【０１０７】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１０８】
この撮影光学系３０３は、撮影光路３０４上に、例えば実施例１の撮像光学系からなる対物光学系１００と、像を受光する電子撮像素子チップ１６２とを有している。これらはパソコン３００に内蔵されている。
【０１０９】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図１９には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
また、対物光学系１００（撮像光学系）に一体化されたオートフォーカス機構５００を備えている。オートフォーカス機構５００を搭載することによって、あらゆる被写体距離において合焦することができる。
【０１１０】
また、対物光学系１００（撮像光学系）と電子撮像素子チップ１６２（電子撮像素子）とを一体化したことが望ましい。
電子撮像素子を一体化することで、撮像光学系による光学像を電気信号化することがでる。またαiによる画像中央部と周辺部で画像の明るさの変化を軽減できる電子撮像素子を選択し、小型且つ高性能なパソコン（撮像装置）を提供できる。
【０１１１】
次に、本発明の撮像光学系が撮影光学系として内蔵された情報処理装置の一例である電話、特に持ち運びに便利な携帯電話を図２２に示す。図２２（a）は携帯電話４００の正面図、図２２（b）は側面図、図２２（c）は撮影光学系４０５の断面図である。図２２（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１１２】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１１３】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１の撮像光学系が用いられる。これらは、携帯電話４００に内蔵されている。
【０１１４】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
また、対物光学系１００（撮像光学系）に一体化されたオートフォーカス機構５００を備えている。オートフォーカス機構５００を搭載することによって、あらゆる被写体距離において合焦することができる。
【０１１５】
また、対物光学系１００（撮像光学系）と電子撮像素子チップ１６２（電子撮像素子）とを一体化したことが望ましい。
電子撮像素子を一体化することで、撮像光学系による光学像を電気信号化することがでる。またαiによる画像中央部と周辺部で画像の明るさの変化を軽減できる電子撮像素子を選択し、小型且つ高性能な携帯電話（撮像装置）を提供できる。
【０１１６】
なお、本発明は、その趣旨を逸脱しない範囲で様々な変形例をとることができる。
【産業上の利用可能性】
【０１１７】
以上のように、本発明は、小型で高性能な撮像光学系及び撮像装置に有用である。
【符号の説明】
【０１１８】
Ｌ１          第１レンズ
Ｌ２          第２レンズ
Ｌ３          第３レンズ
Ｌ４          第４レンズ
ＣＧ          カバーガラス
Ｉ            撮像面
Ｓ            開口絞り
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
５００        オートフォーカス機構
【図１】
0005501839.tif 000002
【図２】
0005501839.tif 000003
【図３】
0005501839.tif 000004
【図４】
0005501839.tif 000005
【図５】
0005501839.tif 000006
【図６】
0005501839.tif 000007
【図７】
0005501839.tif 000008
【図８】
0005501839.tif 000009
【図９】
0005501839.tif 000010
【図１０】
0005501839.tif 000011
【図１１】
0005501839.tif 000012
【図１２】
0005501839.tif 000013
【図１３】
0005501839.tif 000014
【図１４】
0005501839.tif 000015
【図１５】
0005501839.tif 000016
【図１６】
0005501839.tif 000017
【図１７】
0005501839.tif 000018
【図１８】
0005501839.tif 000019
【図１９】
0005501839.tif 000020
【図２０】
0005501839.tif 000021
【図２１】
0005501839.tif 000022
【図２２】
0005501839.tif 000023